(57)【特許請求の範囲】
【請求項１】
バイオセンサと、当該バイオセンサが着脱可能な装置本体と、を具備する測定装置であって、
上記バイオセンサは、第１電極と、第２電極と、検体が当該第１電極及び第２電極と接触可能に導入される試料空間と、試薬と、を備え、
上記測定装置は、第１電極及び第２電極と電気的に接続された電圧印加手段と、当該第１電極と当該第２電極との間に生じた電流値を測定する測定手段と、を備え、
上記試薬は、少なくとも、フラビン化合物を補酵素とするグルコースデヒドロゲナーゼ及びフェリシアン化カリウムを含み、
上記試薬の各成分が、第１電極又は第２電極の少なくともいずれか一方に塗布されており、
上記電圧印加手段は、２００ｍＶ以下の電圧を上記第１電極と上記第２電極との間に一定時間印加し、
上記測定手段は、上記電圧印加手段が２００ｍＶ以下の電圧を上記第１電極と上記第２電極との間に印加したときに、当該第１電極と当該第２電極との間に生じた電流値を測定するものである測定装置。
【請求項２】
上記電圧印加手段は、１００〜２００ｍＶの電圧を上記第１電極と上記第２電極との間に一定時間印加し、
上記測定手段は、上記電圧印加手段が１００〜２００ｍＶ以下の電圧を上記第１電極と上記第２電極との間に印加したときに、当該第１電極と当該第２電極との間に生じた電流値を測定するものである請求項１に記載の測定装置。
【請求項３】
上記第１電極は作用極として機能するものであってカーボン製である請求項１又は２に記載の測定装置。
【請求項４】
第１電極と、第２電極と、検体が当該第１電極及び第２電極と接触可能に導入される試料空間と、上記第１電極又は上記第２電極の少なくとも一方に塗布された試薬と、を有するバイオセンサを備えた測定装置による測定方法であって、
上記試薬として、少なくとも、フラビン化合物を補酵素とするグルコースデヒドロゲナーゼ及びフェリシアン化カリウムを用い、
上記第１電極と上記第２電極との間に２００ｍＶ以下の電圧を一定時間印加して、当該第１電極と当該第２電極との間に生じた電流値を測定する測定方法。
【請求項５】
上記第１電極と上記第２電極との間に１００〜２００ｍＶの電圧を一定時間印加して、当該第１電極と当該第２電極との間に生じた電流値を測定する請求項４に記載の測定方法。
【発明の詳細な説明】
【技術分野】
【０００１】
本発明は、フラビン化合物を補酵素とするグルコースデヒドロゲナーゼ及びフェリシアン化カリウムを含む試薬が塗布された電極に電位を印加して、電極間に生じた電流値を測定する測定装置及び測定方法に関する。
【背景技術】
【０００２】
近年、糖尿病の患者が各国において増加している。糖尿病の治療としては、例えば、インスリン療法がある。インスリンは血糖値をコントロールする薬物として知られており、糖尿病の治療薬として糖尿病患者に投与されている。インスリンを投与する必要性は、糖尿病患者の血糖値に基づいて判断される。このため、糖尿病患者にとって、血糖値の把握が重要である。血糖値とは、血液中のグルコース濃度である。糖尿病患者自らが自分の血糖値を簡易に測定できることを目的として、簡易な血糖測定装置が開発されている。
【０００３】
前述された血糖測定装置として、バイオセンサが用いられるものが知られている（特許文献１〜４）。バイオセンサは、血糖と反応する酵素が固定された電極を有する。血糖値の測定に用いられる酵素として、グルコースオキシターゼ（以下、「ＧＯＤ」と略されることがある。）やグルコースデヒドロゲナーゼ（以下、「ＧＤＨ」と略されることがある。）が知られている。バイオセンサにおいて、酵素が固定された電極が作用極と称され、試料中に電子を供給する電極が対極と称される。
【０００４】
試料である血液がバイオセンサに導入され、その血液中のグルコースに作用極のＧＯＤが反応すると、グルコースがグルコン酸及び過酸化水素に分解され、その過酸化水素が水及び電子に分解される。このようにして発生した電子が作用極に伝達される。一方、対極からは血液中に電子が供給される。このようにして、ＧＯＤとグルコースとの反応によって、作用極と対極との間に電流が流れる。そして、流れた電流値に基づいて、血液中のグルコース濃度、つまり血糖値が算出される。また、作用極には、電子を伝達する物質が固定されることがある。この物質は、電子メディエータと称される。電子メディエータとして、例えば、フェリシアン化カリウム（ヘキサシアノ酸（III）カリウム）、ヘキサアンミンルテニウムやキノン誘導体類等の有機化合物、又は有機−金属錯体などが挙げられる。
【０００５】
ＧＯＤは、グルコースに対する特異性が高く、かつ熱安定性に優れているという利点を有する一方、血液中の溶存酸素が測定値に影響するという問題が知られている。ＧＤＨは、溶存酸素の影響を受けないという利点があるが、安定性が低く、また、基質特異性に乏しいので、マルトースやラクトースのようなグルコース以外の糖類にも反応するという問題が知られている。このような問題に対して、フラビン化合物を補酵素とするグルコースデヒドロゲナーゼ（以下、「ＦＡＤ−ＧＤＨ」と略されることがある。）が、熱安定性に優れ、マルトースなどの影響を受けにくい酵素として見いだされている（特許文献５）。
【０００６】
また、前述された血糖測定装置において、作用極と対極との間に印加する電位を変化させることによって、測定範囲や測定精度を向上させることが試みられている（特許文献６，７）。
【先行技術文献】
【特許文献】
【０００７】
【特許文献１】特開２００９−９７８７７号公報
【特許文献２】特開２００５−４３２８０号公報
【特許文献３】特開２００５−３７３３５号公報
【特許文献４】特開２００２−１０７３２５号公報
【特許文献５】特開２００９−１９５２５０号公報
【特許文献６】特許第３４８７０６４号公報
【特許文献７】特許第３５２８５２１号公報
【発明の概要】
【発明が解決しようとする課題】
【０００８】
近年、血糖測定において、プラリドキシムヨウ化メチル（以下、「ＰＡＭ」と略されることがある。）の影響があることが知られてきている。ＰＡＭは、有機リン中毒の解毒剤として静脈注射などによってヒトに投与される。血中にＰＡＭが存在すると、血糖測定において実際よりも高い血糖値が測定される傾向にある。その結果、真の血糖値より高いＰＡＭの影響を受けた血糖値に基づいてインスリンが過量に投与され、低血糖症状を惹起させるというおそれがある。
【０００９】
本発明者らは、鋭意研究の結果、ＦＡＤ−ＧＤＨに最適なメディエータとして用いられるフェリシアン化カリウムがＰＡＭの影響を受ける可能性を見いだし、本発明を完成するに至った。すなわち、本発明の目的とするところは、ＦＡＤ−ＧＤＨ及びフェリシアン化カリウムを含む試薬の測定系により、溶存酸素やマルトースなどの他の糖が測定値に影響することを抑制し、かつＰＡＭが測定値に影響することを抑制する血糖測定手段を提供することにある。
【課題を解決するための手段】
【００１０】
本発明は、バイオセンサが装置本体に着脱可能に設けられた測定装置に関する。上記バイオセンサは、第１電極と、第２電極と、検体が当該第１電極及び第２電極と接触可能に導入される試料空間と、試薬と、を備える。上記測定装置は、第１電極及び第２電極と電気的に接続された電圧印加手段と、当該第１電極と当該第２電極との間に生じた電流値を測定する測定手段と、を備える。上記試薬は、少なくとも、フラビン化合物を補酵素とするグルコースデヒドロゲナーゼ及びフェリシアン化カリウムを含む。上記試薬の各成分が、第１電極又は第２電極の少なくともいずれか一方に塗布されている。上記電圧印加手段は、２００ｍＶ以下の電圧を上記第１電極と上記第２電極との間に一定時間印加する。上記測定手段は、上記電圧印加手段が２００ｍＶ以下の電圧を上記第１電極と上記第２電極との間に印加したときに、当該第１電極と当該第２電極との間に生じた電流値を測定する。
【００１１】
測定装置は、検体中のグルコースを電気化学的に検出するためのものである。検体としては、血液や唾液、尿などの主として液体が挙げられる。試料空間において、検体が第１電極及び第２電極と接触されることにより、検体とＦＡＤ−ＧＤＨ及びフェリシアン化カリウムとが混合されて、グルコースが酵素反応を起こす。第１電極と第２電極との間に印加される電位によって、酵素反応の過程において生成される電荷がフェリシアン化カリウムを介して第１電極及び第２電極間に流れることによって、グルコースが電気的に検出可能となる。
【００１２】
上記電圧印加手段が、上記第１電極と上記第２電極との間に一定時間印加する電圧は、１００〜２００ｍＶの範囲内であることが好ましい。
【００１３】
また、上記第１電極は作用極として機能するものであってカーボン製であることが好ましい。
【００１４】
また、本発明は、第１電極と、第２電極と、検体が当該第１電極及び第２電極と接触可能に導入される試料空間と、上記第１電極又は上記第２電極の少なくとも一方に塗布された試薬と、を有するバイオセンサを備えた測定装置による測定方法であって、上記試薬として、少なくとも、フラビン化合物を補酵素とするグルコースデヒドロゲナーゼ及びフェリシアン化カリウムを用い、上記第１電極と上記第２電極との間に２００ｍＶ以下の電圧を一定時間印加して、当該第１電極と当該第２電極との間に生じた電流値を測定する測定方法として捉えられてもよい。
【発明の効果】
【００１５】
本発明によれば、ＦＡＤ−ＧＤＨが用いられることにより、溶存酸素やマルトースなどの他の糖が測定値に影響することが抑制され、かつ第１電極と第２電極との間に印加される電位が２００ｍＶ以下とされることにより、ＰＡＭが測定値に影響することが抑制される。
【図面の簡単な説明】
【００１６】
【図１】図１は、本発明の実施形態に係る血糖測定装置１０の外観を示す斜視図である。
【図２】図２は、バイオセンサ１１の分解斜視図である。
【発明を実施するための形態】
【００１７】
以下に、適宜図面が参照されて、本発明の好ましい実施形態が説明される。なお、以下に説明される各実施形態は本発明の一例にすぎず、本発明の要旨を変更しない範囲で、本発明の実施形態が適宜変更できることは言うまでもない。
【００１８】
［血糖測定装置１０］
図１に示されるように、血糖測定装置１０は、バイオセンサ１１と装置本体１２とを有する。バイオセンサ１１が装置本体１２の接続部１３に差し込まれることによって、バイオセンサ１１と装置本体１２とが電気的に接続される。バイオセンサ１１は、１回の血糖測定毎に取り替えられるものである。
【００１９】
［装置本体１２］
図１に示されるように、装置本体１２は、筐体５０に電子部品が収容された電子装置である。筐体５０の表側には、液晶ディスプレイ５１及び操作キー５２，５３，５４が配置されている。操作キー５２，５３，５４は、ユーザの操作に基づいて対応するコマンドを発生させるためのものである。液晶ディスプレイ５１は、装置本体１２の状態や測定結果、エラー表示などを行う。各図には現れていないが、筐体５０の内部には、電圧印加手段及び測定手段としての制御基板が内蔵されている。制御基板は、ＣＰＵ、ＲＯＭ、ＲＡＭなどを有する演算装置として構成されており、液晶ディスプレイ５１及び操作キー５２，５３，５４と電気的に接続されている。操作キー５２，５３，５４からの入力に応じて、制御基板は、予めＲＯＭに格納されたプログラムを動作させる。また、筐体５０の内部には、バイオセンサ１１に電位を印加するための電源が内蔵されている。制御基板は、電源から所定の電位をバイオセンサ１１に印加する。この電源及び制御基板によって、電圧印加手段が構成されている。また、制御基板は、所定の電位に応答してバイオセンサ１１に流れた電流値から血糖値を演算する。演算された血糖値は、液晶ディスプレイ５１に表示される。
【００２０】
［バイオセンサ１１］
図１に示されるように、バイオセンサ１１は、細長なシート形状である。バイオセンサ１１の長手方向１０１の一端が、装置本体１２の接続部１３に差し込まれることによって、バイオセンサ１１が装置本体１２に装着される。また、バイオセンサ１１が長手方向１０１に引き抜かれることによって、バイオセンサ１１が装置本体１０から取り外される。
【００２１】
バイオセンサ１１の表裏は相対的な関係なので、いずれが表であっても裏であってもよい。本実施形態においては、図１に現れる側が表と称され、図１に現れない側が裏と称される。つまり、バイオセンサ１１は、表面２１及び裏面２２が表裏面をなすシート形状である。
【００２２】
図２に示されるように、バイオセンサ１１は、主として、第１基板２３、第１電極２４、スペーサ２５、第２電極２６、第３電極２７及び第２基板２８を有する。図２における上側、つまり表側から順に、第１基板２３、スペーサ２５、第１電極２４、第２電極２６及び第３電極２７、第２基板２８の順に積層されて、シート形状のバイオセンサ１１が構成されている。
【００２３】
［第１基板２３］
図２に示されるように、第１基板２３は、平面視がバイオセンサ１１と概ね同じ形状であって、長手方向１０１において第２基板２４より若干短いシートである。第１基板２３は、電気絶縁性の材料からなる。この電気絶縁性の材料として、例えばポリエチレンテレフタレート（ＰＥＴ）、ポリメタクリル酸メチル（ＰＭＭＡ）等のポリエステルや、フッ素樹脂及びポリカーボネイト、ガラスなどが挙げられる。
【００２４】
第１基板２３の一方の面は、表面２１を構成する。第１基板２３の表面２１には、方向１０２の両端に一対の着色部３０，３１が形成されている。着色部３０，３１は、表面２１と色分けされたものである。着色部３０，３１は、後述される試料導入口４１の位置の視認を容易にするためのものである。したがって、着色部３０，３１は、試料導入口４１の直上に配置されている。第１基板２３において、空間４０に対応する領域４２には、試薬の各成分が固定されている。試薬の各成分の詳細については、後述される。
【００２５】
［第２基板２８］
図２に示されるように、第２基板２８は、平面視がバイオセンサ１１と概ね同じ形状のシートである。第２基板２８は、電気絶縁性の材料からなる。この電気絶縁性の材料として、例えばポリエチレンテレフタレート（ＰＥＴ）、ポリメタクリル酸メチル（ＰＭＭＡ）等のポリエステルや、フッ素樹脂及びポリカーボネイト、ガラスなどが挙げられる。
【００２６】
第２基板２８の一方の面は、裏面２２を構成する。裏面２２と反対側の面３４には第１電極２４，第２電極２６及び第３電極２７が設けられている。第２基板２８において、装置本体１２の接続部１３に差し込まれる長手方向１０１の一端側は、第１基板２３とは対向されていない。なお、各図には現れていないが、第２基板２８の裏面２２には、着色部３０，３１と同様の着色部が形成されている。
【００２７】
［第１電極２４］
図２に示されるように、第１電極２４は、第２基板２８における裏面２２と反対側の面３４に設けられている。第１電極２４は、第２基板２８の面３４において、長手方向１０１へ延出されており、方向１０２において第２基板２８の１／３程度の幅を有する。面３４において、第１電極２４は、後述される第２電極２６及び第３電極２７と電気的に非接続に配置されている。第１電極２４の素材としては、例えば、カーボンが挙げられる。第１電極２４にカーボンが用いられることによって、銀／塩化銀、金、パラジウム、白金などが用いられた電極の抵抗値より、カーボン製の第１電極２４の抵抗値が低くなるので、比較的弱い電位による小さな応答電流によっても、血糖値の測定感度が維持され易くなる。第１電極２４は、第１基板２３に対して、スクリーン印刷法、インクジェット法、スパッタリング、真空蒸着、ゾルゲル法、クラスタビーム蒸着又はＰＬＤなどの手法によって面３４に積層されている。第１電極２４において、装置本体１２の接続部１３側に対応する端部は、第１基板２３と対向せずに露出されている。この端部が装置本体１２と電気的に接続される接続端子３３である。
【００２８】
［第２電極２６］
図２に示されるように、第２電極２６は、第２基板２８における裏面２２と反対側の面３４に設けられている。第２電極２６は、第２基板２８の面３４において、長手方向１０１へ延出されており、方向１０２において第２基板２８の１／３程度の幅を有する。面３４において、第２電極２６は、第１電極２４及び後述される第３電極２７と電気的に非接続に配置されている。第２電極２６の素材としては、例えば、カーボン、銀／塩化銀、金、パラジウム、白金などが挙げられる。第２電極２６において、装置本体１２の接続部１３側に対応する端部は、第１基板２３と対向せずに露出されている。この端部が装置本体１２と電気的に接続される接続端子３７である。
【００２９】
［第３電極２７］
図２に示されるように、第３電極２７は、第２基板２８における裏面２２と反対側の面３４に設けられている。第３電極２７は、第２基板２８の面３４において、長手方向１０１へ延出されており、方向１０２において第２基板２８の１／３程度の幅を有する。面３４において、第３電極２７は、第１電極２４及び第２電極２６と電気的に非接続に配置されている。第３電極２７の素材としては、例えば、カーボン、銀／塩化銀、金、パラジウム、白金などが挙げられる。第３電極２７は、空間４０へ血液が導入されたか否かを検出するための電極である。第３電極２７において、装置本体１２の接続部１３側に対応する端部は、第１基板２３と対向せずに露出されている。この端部が装置本体１２と電気的に接続される接続端子３９である。
【００３０】
［スペーサ２５］
図２に示されるように、スペーサ２５は、平面視がバイオセンサ１１と概ね同じ形状のシートである。スペーサ２５としては、電気絶縁性を有する両面テープが好適に用いられる。スペーサ２５は、着色部３０，３１に対応する位置に、方向１０２へ延びる空間４０を有する。つまり、スペーサ２５は、長手方向１０１に対して空間４０によって分断された２枚のシートから構成されている。空間４０によって、領域３８と領域４２との間に、スペーサ２５の厚み分の試料空間が形成される。つまり、空間４０が試料空間となる。空間４０には、第１電極２４の一部、第２電極２６の一部及び第３電極２７の一部がそれぞれ露出されている。第１電極２４において、空間４０に対応する領域３８には、試薬の各成分が固定されている。試薬の各成分の詳細については、後述される。
【００３１】
図１に示されるように、空間４０は、バイオセンサ１１の端に開口されており、この開口が試料導入口４１となる。なお、図１には現れていないが、試料導入口４１と対向する位置においても空間４０が開口されている。試料導入口４１が血液に曝されると、毛細管作用によって血液が空間４０に流れ込む。
【００３２】
［領域３８，４２へ固定される試薬の成分］
領域３８，４２に固定される試薬は、ＦＡＤ−ＧＤＨ、フェリシアン化カリウム、水溶性高分子、界面活性剤及び緩衝液を含む。なお、試薬は、更に他の成分を含んでもよい。この試薬の各成分は、領域３８，４２に任意に選択的に固定されてよいが、本実施形態のように、第１電極２４が作用極として機能し、第２電極２６が対極として機能するのであれば、ＦＡＤ−ＧＤＨ及びフェリシアン化カリウムは第１電極２４の領域３８に固定されることが好ましい。また、試薬の各成分が、領域３８，４２にそれぞれ塗布される手法は、公知の手法が採用される。このような公知の手法として、例えば、ディッピング法やスクリーン印刷法、オフセット印刷法、インクジェット印刷法などが挙げられる。
【００３３】
［血糖の測定方法］
以下、血糖測定装置１０を用いた血糖の測定方法が説明される。
【００３４】
ユーザは、血糖の測定に際して、装置本体１２の接続部１３にバイオセンサ１１を差し込む。ユーザは、指などから採取して血液を、空間４０に導入する。空間４０において、血液が第１電極２４及び第３電極２７に接触すると、第１電極２４と第３電極２７との間の導電状態が変化する。制御基板により構成される演算装置は、この導電状態の変化によって、空間４０に血液が導入されたと判断する。
【００３５】
制御基板及び電源により構成される電圧印加手段は、血液４０に血液が導入されたと判断してから、１０秒間待機し、その後に、第１電極２４の接続端子３３及び第２電極２６の接続端子３７に所定の電位を１０秒間印加する。所定の電位は、１００〜２００ｍＶの範囲内に設定されている。これにより、第１電極２４が作用極となり、第２電極２６が対極となる。空間４０においては、第２電極２６に固定されたＦＡＤ−ＧＤＨによって、血液中のグルコース及びフェリシアン化カリウムが電解したフェリシアンイオンから、Ｄ−グルコノ−１，５−ラクトン及びフェロシアンイオンが生成される。このフェロシアンイオンが第１電極２４において酸化されることにより、第１電極２４と第２電極２６との間に酸化応答電流が流れる。このようにして第１電極２４及び第２電極２６間に流れた酸化応答電流に基づいて、制御基板により構成される測定手段はグルコース濃度を演算し、その結果を液晶ディスプレイ５１に表示する。
【００３６】
［本実施形態の作用効果］
本実施形態によれば、グルコースと反応する酵素としてＦＡＤ−ＧＤＨが用いられることにより、溶存酸素やマルトースなどの他の糖が測定値に影響することが抑制され、かつ第１電極２４と第２電極２６との間に印加される電位が２００ｍＶ以下とされることにより、ＰＡＭが測定値に影響することが抑制される。
【実施例】
【００３７】
以下、本発明の実施例が説明される。
【００３８】
［バイオセンサ］
バイオセンサとしては、前述された実施形態と同様の構成のバイオセンサ１１を用いた。第１電極２４、第２電極２６及び第３電極２７の素材としてはカーボンを用いた。バイオセンサ１１の領域３８には、２．３１ｗ／ｖ％ＦＡＤ−ＧＤＨ、７．１０ｗ／ｖ％フェリシアン化カリウム、４．６１ｗ／ｖ％ポリビニルピロリドン、１．６８ｗ／ｖ％テトラデシルトリメチルアンモニウム、及び２．７０ｗ／ｖ％ＭＥＳを含む試薬を０．８８μＬ塗布して乾燥させた。バイオセンサ１１の領域４２には、０．１４ｗ／ｖ％のＴｏｒｉｔｏｎＸ−１００を含む試薬を０．４４μＬ塗布して乾燥させた。
【００３９】
［実施例１］
ＰＡＭを０．０ｍｇ／ｍＬ，０．５ｍｇ／ｍＬ，１．０ｍｇ／ｍＬ，１．５ｍｇ／ｍＬ，２．０ｍｇ／ｍＬとなるように添加されたＭＥＳ緩衝液各０．３μＬを検体として用い、検体が検知された後に、第１電極２４と第２電極２６との間の電位を１０秒間、０ｍＶに保持し、その後、第１電極２４と第２電極２６との間の電位を１０秒間、１５０ｍＶに保持して、１５０ｍＶを印加した２秒後の応答電流を測定した。この測定を３回（ｎ＝３）繰り返した。３回の測定結果の平均値を表１に示す。
【００４０】
［実施例２］
ＰＡＭを０．０ｍｇ／ｍＬ，０．５ｍｇ／ｍＬ，１．０ｍｇ／ｍＬ，１．５ｍｇ／ｍＬ，２．０ｍｇ／ｍＬとなるように添加されたＭＥＳ緩衝液各０．３μＬを検体として用い、検体が検知された後に、第１電極２４と第２電極２６との間の電位を１０秒間、０ｍＶに保持し、その後、第１電極２４と第２電極２６との間の電位を１０秒間、２００ｍＶに保持して、２００ｍＶを印加した２秒後の応答電流を測定した。この測定を３回（ｎ＝３）繰り返した。３回の測定結果の平均値を表１に示す。
【００４１】
［比較例１］
ＰＡＭを０．０ｍｇ／ｍＬ，０．５ｍｇ／ｍＬ，１．０ｍｇ／ｍＬ，１．５ｍｇ／ｍＬ，２．０ｍｇ／ｍＬとなるように添加されたＭＥＳ緩衝液各０．３μＬを検体として用い、検体が検知された後に、第１電極２４と第２電極２６との間の電位を１０秒間、０ｍＶに保持し、その後、第１電極２４と第２電極２６との間の電位を１０秒間、２５０ｍＶに保持して、２５０ｍＶを印加した２秒後の応答電流を測定した。この測定を３回（ｎ＝３）繰り返した。３回の測定結果の平均値を表１に示す。
【００４２】
［比較例２］
ＰＡＭを０．０ｍｇ／ｍＬ，０．５ｍｇ／ｍＬ，１．０ｍｇ／ｍＬ，１．５ｍｇ／ｍＬ，２．０ｍｇ／ｍＬとなるように添加されたＭＥＳ緩衝液各０．３μＬを検体として用い、検体が検知された後に、第１電極２４と第２電極２６との間の電位を１０秒間、０ｍＶに保持し、その後、第１電極２４と第２電極２６との間の電位を１０秒間、３００ｍＶに保持して、３００ｍＶを印加した２秒後の応答電流を測定した。この測定を３回（ｎ＝３）繰り返した。３回の測定結果の平均値を表１に示す。
【００４３】
【表１】
0005509969.tif 000002
【００４４】
表１に示されるように、実施例１，２では、ＰＡＭが添加されていない検体の測定値（電流値；μＡ）に対して、ＰＡＭが添加された検体の測定値（μＡ）の増加が、２０．４％以下であった。これに対して、比較例１では、ＰＡＭの添加量が１．５ｍｇ／ｍＬ以上になると、測定値（μＡ）が３５％以上増加した。また、比較例２では、ＰＡＭの添加量が０．５ｍｇ／ｍＬであっても、測定値（μＡ）が３５％近く増加し、ＰＡＭの添加量が１．０ｍｇ／ｍＬ以上になると、測定値（μＡ）が４５％以上増加した。これにより、実施例１、２において、測定値（μＡ）がＰＡＭの影響を受け難いことが確認された。
【符号の説明】
【００４５】
２４・・・第１電極
２６・・・第２電極
４０・・・空間（試料空間）
【図１】
0005509969.tif 000003
【図２】
0005509969.tif 000004